(57)【要約】      （修正有）【課題】前面扉の開放に際して、開放空間を拡大して被調理物への接近を容易とし、かつ、調理者の火傷等の事故を防止する。【解決手段】機体天面１２の扉側寄りに、機体前面の開口Ｐと連続させて天面開口Ｑを形成し、機体ケース１の天面近傍のケース側面に、天面開口Ｑの後端に位置して、軸支きれて、ケース天面上方へ回動自在であり、前記天面開口Ｑを開閉する補助扉６を装備し、扉５の前方回動に連動して、補助扉６を、リンク機構２０を介して、上方へ回動させ、開口Ｐおよび天面開口Ｑを開口状態とする。機体天面12とヒーター３Aとの間に遮熱板７を装備し、天面開口Qの下方にのぞませた延長垂下片７aをヒーター3Aの前方に位置させる。【選択図】図４
2013257047.tif 000002
【特許請求の範囲】
【請求項１】
機体ケースの内部に焼網を装備し、焼網の上方と下方に加熱ヒーターを装備し、焼網上に被調理物を載置して加熱調理を行ない、機体ケースの前面に開口を形成し、該開口に扉を装備し、被調理物の取出しにあたっては、扉の前方への回動操作に連動して前記焼網を前進させる構成のオーブントースターにおいて、
機体天面の扉側寄りに、機体前面の前記開口と連続させて天面開口を形成し、
ケース天面上方へ回動自在で前記天面開口を開閉自在する補助扉を装備し、
前記扉の前方回動に連動して、補助扉を、リンク機構を介して、上方へ回動させ
ることにより、前面側の開口と上面側の天面開口とを連続開口して開口面積を拡大した状態で、開口状態とすることを特徴とするオーブントースター。
【請求項２】
機体ケースの内部に焼網を装備し、焼網の上方と下方に加熱ヒーターを装備し、焼網上に被調理物を載置して加熱調理を行ない、機体ケースの前面に開口を形成し、該開口に扉を装備し、被調理物の取出しにあたっては、扉の前方への回動操作に連動して前記焼網を前進させる構成のオーブントースターにおいて、
機体天面の扉側寄りに、機体前面の前記開口と連続させて天面開口を形成し、
ケース天面上方へ回動自在で前記天面開口を開閉自在する補助扉を装備し、
前記扉の前方回動に連動して、補助扉を、リンク機構を介して、上方へ回動させることにより、前面側の開口と上面側の天面開口とを連続開口して開口面積を拡大した状態で、
開口状態とするとともに、
機体天面と上部ヒーターとの間に遮熱板を装備し、天面開口の下方にのぞませた延長垂下片を上部ヒーターの前方に位置させたことを特徴とするオーブントースター。
【発明の詳細な説明】
【技術分野】
【０００１】
本願発明は、箱型ケースの内部に焼網を装備し、焼網の上方と下方に加熱ヒーターを装備し、焼網上に被調理物を載置して加熱調理を行うオーブントースターに関するものである。
【背景技術】
【０００２】
この種のオーブントースターは、箱型ケースの前面を開口し前面扉を装備し、被調理物の取出しにあたっては、前面扉の前方への回動操作により、箱型ケースの前面に開放空間を形成している。開放空間を形成するケース前面の上縁には、ケース天面の前縁かのぞんでいる。そのため、被調理物の取出しにあたり調理者がケース天面の前縁に接触して火傷を生じるおそれがある。
【先行技術文献】
【特許文献】
【０００３】
【特許文献１】特開2000―93327号公開特許公報「加熱調理具」
【発明の概要】
【発明が解決しようとする課題】
【０００４】
前記の問題点を解決する公知技術として、特開2000―93327号公開特許公報「加熱調理具」（特許文献1）が存在する。
該公知技術の加熱調理具「オーブントースター」は、機体の形状を、食器乾燥器のごとく、側面視扇形の部分筒状体の開閉扉とすることにより、内部空間の前半部を開放自在としている。
即ち、被調理物の取出しにあたり、調理面（焼網）の上方の半分を開口状態としている。被調理物の取出し操作に際して、調理室の熱が漏出して加熱エネルギーの損出を生じるとともに、調理室上部の上部ヒーターに接触して調理者が火傷する等の問題点がある。
【０００５】
よって、本願発明は、前面扉の開放に際して、開放空間を拡大して被調理物への接近を容易とし、かつ、調理者の火傷等の事故を防止することを課題とする。
【課題を解決するための手段】
【０００６】
本願第１発明は、機体天面の扉側寄りに、機体前面の前記開口と連続させて天面開口を形成し、機体ケースの天面近傍のケース側面に、天面開口の後端に位置して、軸支きれて、ケース天面上方へ回動自在であり、前記天面開口を開閉する補助扉を装備し、前記扉の前方回動に連動して、補助扉を、リンク機構を介して、上方へ回動させることにより、前面側の開口と上面側の天面開口とを連続開口して開口面積を拡大した状態で、開口状態とすることを特徴とする。
本願第２発明は、第１発明に加えて、機体天面12と上部ヒーター３Aとの間に遮熱板７を装備し、天面開口Qの下方にのぞませた延長垂下片７aを上部ヒーター3Aの前方に位置させたことを特徴とする。
【発明の効果】
【０００７】
本願発明は、前面側の開口と上面側の天面開口とを連続開口して開口面積を拡大した状態で開口状態とすることにより、焼網上の調理物の取出しを容易とする。
本願第２発明は、天面開口Qの下方にのぞませた延長垂下片７aを有する遮熱板７を装備したことで、
補助扉を閉じた調理状態では、上部ヒーターからの輻射熱を調理室内へ反射することで、調理室内の温度を高めるとともに、天面（補助扉を含む）の過熱を防いでいる。また、補助扉を開口した状態では、上部ヒーターからの輻射熱を調理室内へ反射することで輻射熱の漏出を防ぐ効果を有する。
【図面の簡単な説明】
【０００８】
【図１】本願発明の実施例を示すオーブントースターの斜視図。
【図２】同じく扉開口状態で示す斜視図。
【図３】同じく縦断面図。
【図４】同じく扉開口状態で示す縦断面図。
【図５】本願発明の要部を示す、部分縦断斜視図。
【発明を実施するための最良の形態】
【０００９】
天面の前面扉側寄りに、機体前面の前記開口と連続させて天面開口を形成する。
箱型機体ケースの天面近傍のケース側面に  天面開口の後端に位置して軸支きれて、ケース天面上方へ回動自在であり、前記天面開口を開閉する補助扉（天面扉）を装備する。
前面扉の前方回動操作の前面扉開動作に連動して、補助扉（天面扉）を、リンク機構を介して、上方へ回動させ、開口および天面開口を開口状態とする。
機体天面12と上部ヒーター３Aとの間に遮熱板７を装備し、天面開口Qの下方にのぞませた延長垂下片７aを上部ヒーター3Aの前方に位置させる。
【実施例】
【００１０】
以下図1ないし図５に示す本願発明の実施例にもとづいて、本願発明を詳細に説明する。
【００１１】
箱型の機体ケース1の内部に焼網２を装備し、焼網２の上方と下方に加熱ヒーター3Ａ、3Ｂを装備して、焼網上の調理皿4に被調理物Ｍを載置して加熱調理を行なうこと、箱型の機体ケース1の前面に開口Ｐを形成し、該開口Ｐに扉５  を装備すること、被調理物Ｍの取出しにあたっては、扉５の前方への回動操作に連動して前記焼網２を前進させることの構成は、公知のオーブントースターと同様である。
【００１２】
機体天面12の扉５側寄りに、機体前面11の前記開口Ｐと連続させて天面開口Ｑを形成する。
【００１３】
機体ケース1の天面近傍のケース側面13に  天面開口Ｑの後端に位置して、補助扉６を軸支する。
【００１４】
前記補助扉６は、ケース天面上方へ回動自在であり、前記天面開口Ｑを開閉自在とする。
【００１５】
図３ないし図5を参照して、機体天面12とヒーター３Aとの間に遮熱板７を装備し、天面開口Qの下方にのぞませた延長垂下片７aをヒーター3Aの前方に位置させる。前記延長垂下片７aは、
補助扉を閉じた調理状態では、上部ヒーターからの輻射熱を調理室内へ反射することで、調理室内の温度を高めるとともに、天面（補助扉を含む）の過熱を防いでいる。
また、補助扉を開口した状態では、上部ヒーターからの輻射熱を調理室内へ反射することで輻射熱の漏出を防いでいる。
【００１６】
図5を参照して、補助扉６の後端部６bは、機体天面12の先端部12aと重なる構造であり、補助扉６の前端部６aは、扉５の上端部5aと重なる構造であり、扉５と補助扉６は、図１および図３に示す閉じた状態では、調理室に対して、気密性を確保している。
【００１７】
扉5は、中央部をガラス製品として窓8を形成している。
【００１８】
補助扉６は、金属製品としてもよいが、全部又は一部をガラス製品として透明とすると、調理物Ｍの調理状態の確認ができて好都合である。
【００１９】
開口Ｐと天面開口Ｑとの開閉は、リンク機構20を介して、扉５の開閉操作により、扉５の前後回動操作と補助扉6とを連動することで、達成される。
【００２０】
前記リンク機構20は、扉5の中間位置で、扉５にその先端を軸支した第一アーム２１と、
補助扉６に固定した支持体23と、その基部を一体化した第２アーム２２とを設け、第一アーム２１と第２アーム２２とを軸２４で連結して構成する。
【００２１】
リンク機構20を介しての前記の扉閉操作に際し、補助扉6の前端の延長垂下片6ａが、閉位置の機体前面上端で待機したのち、扉5の上端5ａが閉位置となって、延長垂下片6ａと接当すべくタイミィング設定されるように、アーム22の形状、アーム21およびアーム22の長さが設定されている。
【産業上の利用可能性】
【００２２】
本願発明は、オーブントースターの使用による調理の利便性を向上させることで、オーブントースターの利用価値を高めるものであり、家庭用電気製品の製造業の発展に寄与するものである。
【符号の説明】
【００２３】
1      機体ケース
5      扉
6      補助扉
7      遮熱板
20      リンク機構
Ｐ    開口
Ｑ    天面開口
【図１】
2013257047.tif 000003
【図２】
2013257047.tif 000004
【図３】
2013257047.tif 000005
【図４】
2013257047.tif 000006
【図５】
2013257047.tif 000007